【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局から、第1のコンポーネントキャリア(CC)上の第1のサウンディング基準信号(SRS)および第2のCC上の第2のSRSの送信のための指示を受信するステップであって、前記第1のCCが第1のヌメロロジーに関連付けられ、前記第2のCCが、前記第1のヌメロロジーとは異なる第2のヌメロロジーに関連付けられる、ステップと、
前記第1のヌメロロジーに少なくとも部分的に基づいて、前記指示の受信と前記第1のCC上の前記第1のSRSの送信との間の第1のタイミングギャップを決定するステップと、
前記第1のタイミングギャップおよび前記第2のヌメロロジーに少なくとも部分的に基づき、かつ前記第1のCCから前記第2のCCへの再同調に関連付けられた再同調時間に少なくとも部分的に基づいて、前記指示の受信後および前記第1のCC上の前記第1のSRSの前記送信後の、前記第2のCC上の前記第2のSRSの送信のためのタイミングを決定するステップと、
前記第1のタイミングギャップに少なくとも部分的に基づいて前記第1のSRSを、および前記第2のSRSの前記送信のための前記タイミングに少なくとも部分的に基づいて前記第2のSRSを送信するステップと
を含む、方法。
【請求項２】
前記第1のヌメロロジーに関連付けられた第1の数のシンボルに対応する第1の時間持続期間を決定するステップであって、前記第1のタイミングギャップが、前記第1の時間持続期間に少なくとも部分的に基づいて決定される、ステップ
をさらに含む、請求項1に記載の方法。
【請求項３】
前記第1の数のシンボルが、前記第1のヌメロロジーについてのアップリンクグラントの受信とアップリンクデータの送信との間の時間に対応する、請求項2に記載の方法。
【請求項４】
前記第1の数のシンボルが、前記第1のヌメロロジーについての物理ダウンリンク制御チャネル(PDCCH)の受信と前記第1のSRSの送信との間の時間に対応する、請求項2に記載の方法。
【請求項５】
前記第2のヌメロロジーに関連付けられた第2の数のシンボルに対応する第2の時間持続期間を決定するステップであって、前記第2のCC上の前記第2のSRSの前記送信のための前記タイミングが、前記第1の時間持続期間および前記第2の時間持続期間に少なくとも部分的に基づいて決定される、ステップ
をさらに含む、請求項2に記載の方法。
【請求項６】
前記第1のCCから前記第2のCCへの再同調に関連付けられた再同調時間、および前記第1のCC上の前記第1のSRSの送信に関連付けられた送信時間に少なくとも部分的に基づいて、前記第2の時間持続期間を決定するステップ
をさらに含む、請求項5に記載の方法。
【請求項７】
前記第2の数のシンボルが、前記第2のヌメロロジーについてのアップリンクグラントの受信とアップリンクデータの送信との間の時間、前記第2のヌメロロジーについてのチャネル状態情報基準信号(CSIRS)の受信とチャネル状態フィードバック(CSF)メッセージの送信との間の時間、または前記第2のヌメロロジーについての物理ダウンリンク制御チャネル(PDCCH)メッセージの受信と前記第2のSRSの送信との間の時間に対応する、請求項5に記載の方法。
【請求項８】
前記指示を受信するステップが、
前記第1のヌメロロジーおよび前記第2のヌメロロジーとは異なる第3のヌメロロジーに関連付けられた第3のCC上の第3のSRSの送信のための指示を受信するステップ
を含む、請求項1に記載の方法。
【請求項９】
前記第2のCC上の前記第2のSRSの前記送信のための前記タイミング、および前記第3のヌメロロジーに少なくとも部分的に基づいて、前記第3のCC上の前記第3のSRSの送信のための前記指示の受信後および前記第2のCC上の前記第2のSRSの前記送信後の、前記第3のCC上の前記第3のSRSの送信のためのタイミングを決定するステップと、
前記第3のSRSの前記送信のための前記タイミングに少なくとも部分的に基づいて、前記第3のSRSを送信するステップと
をさらに含む、請求項8に記載の方法。
【請求項１０】
前記指示を受信するステップが、
それぞれのCC上の追加のSRSの送信のための指示を受信するステップ
を含む、請求項1に記載の方法。
【請求項１１】
前記それぞれのCCに関連付けられたヌメロロジーに少なくとも部分的に基づいて、前記追加のSRSのためのそれぞれの送信タイミングを決定するステップと、
前記それぞれの送信タイミングに少なくとも部分的に基づいて、前記それぞれのCC上で前記追加のSRSを送信するステップと
をさらに含む、請求項10に記載の方法。
【請求項１２】
前記指示が、前記第1のSRSの送信および前記第2のSRSの送信をスケジュールするグラントを備え、物理ダウンリンク制御チャネル(PDCCH)を介して受信される、請求項1に記載の方法。
【請求項１３】
ワイヤレス通信のための方法であって、
基地局から、第1のコンポーネントキャリア(CC)上の第1のサウンディング基準信号(SRS)および第2のCC上の第2のSRSの送信のための指示を受信するステップであって、前記第1のCCが第1のヌメロロジーに関連付けられ、前記第2のCCが、前記第1のヌメロロジーとは異なる第2のヌメロロジーに関連付けられる、ステップと、
前記第1のヌメロロジーおよび前記第2のヌメロロジーに少なくとも部分的に基づいて、前記指示の受信と前記第1のCC上の前記第1のSRSの送信との間の第1のタイミングギャップを決定するステップと、
前記第1のタイミングギャップに少なくとも部分的に基づき、かつ前記第1のCCから前記第2のCCへの再同調に関連付けられた再同調時間に少なくとも部分的に基づいて、前記指示の受信後および前記第1のCC上の前記第1のSRSの前記送信後の、前記第2のCC上の前記第2のSRSの送信のためのタイミングを決定するステップと、
前記第1のタイミングギャップに少なくとも部分的に基づいて前記第1のSRSを、および前記第2のSRSの前記送信のための前記タイミングに少なくとも部分的に基づいて前記第2のSRSを送信するステップと
を含む、方法。
【請求項１４】
前記第1のタイミングギャップを決定するステップが、
前記第1のヌメロロジーに関連付けられた第1の時間持続期間を決定するステップと、
前記第2のヌメロロジーに関連付けられた第2の時間持続期間を決定するステップと、
前記第1の時間持続期間および前記第2の時間持続期間のうちの最大値を決定するステップと
を含む、請求項13に記載の方法。
【請求項１５】
前記第1のヌメロロジーに関連付けられた第1の数のシンボルに対応する第1の時間持続期間を決定するステップと、
前記第2のヌメロロジーに関連付けられた第2の数のシンボルに対応する第2の時間持続期間を決定するステップであって、前記第1のタイミングギャップが、前記第1の時間持続期間および前記第2の時間持続期間に少なくとも部分的に基づいて決定される、ステップと
をさらに含む、請求項13に記載の方法。
【請求項１６】
前記第1の数のシンボルが、前記第1のヌメロロジーについてのアップリンクグラントの受信とアップリンクデータの送信との間の時間に対応する、請求項15に記載の方法。
【請求項１７】
前記第1の数のシンボルが、前記第1のヌメロロジーについての物理ダウンリンク制御チャネル(PDCCH)メッセージの受信と前記第1のSRSの送信との間の時間に対応する、請求項15に記載の方法。
【請求項１８】
前記第2の数のシンボルが、前記第2のヌメロロジーについてのアップリンクグラントの受信とアップリンクデータの送信との間の時間、前記第2のヌメロロジーについてのチャネル状態情報基準信号(CSIRS)の受信とチャネル状態フィードバック(CSF)メッセージの送信との間の時間、または前記第2のヌメロロジーについての物理ダウンリンク制御チャネル(PDCCH)メッセージの受信と前記第2のSRSの送信との間の時間に対応する、請求項15に記載の方法。
【請求項１９】
前記第1のCC上の前記第1のSRSの送信に関連付けられた送信時間に少なくとも部分的に基づいて、前記第2のCC上の前記第2のSRSの前記送信のための前記タイミングを決定するステップ
をさらに含む、請求項13に記載の方法。
【請求項２０】
前記指示を受信するステップが、
前記第1のヌメロロジーおよび前記第2のヌメロロジーとは異なる第3のヌメロロジーに関連付けられた第3のCC上の第3のSRSの送信のための指示を受信するステップ
を含む、請求項13に記載の方法。
【請求項２１】
前記第1のヌメロロジーに関連付けられた第1の数のシンボルに対応する第1の時間持続期間を決定するステップと、
前記第2のヌメロロジーに関連付けられた第2の数のシンボルに対応する第2の時間持続期間を決定するステップと、
前記第3のヌメロロジーに関連付けられた第3の数のシンボルに対応する第3の時間持続期間を決定するステップであって、前記第1のタイミングギャップが、前記第1の時間持続期間、前記第2の時間持続期間、および前記第3の時間持続期間に少なくとも部分的に基づいて決定される、ステップと
をさらに含む、請求項20に記載の方法。
【請求項２２】
前記第2のCC上の前記第2のSRSの前記送信のための前記タイミングに少なくとも部分的に基づいて、前記第3のCC上の前記第3のSRSの送信のための前記指示の受信後および前記第2のCC上の前記第2のSRSの前記送信後の、前記第3のCC上の前記第3のSRSの送信のためのタイミングを決定するステップと、
前記第3のCC上の前記第3のSRSの前記送信のための前記タイミングに少なくとも部分的に基づいて、前記第3のSRSを送信するステップと
をさらに含む、請求項21に記載の方法。
【請求項２３】
前記指示を受信するステップが、
それぞれのヌメロロジーに関連付けられたそれぞれのCC上の追加のSRSの送信のための指示を受信するステップ
を含む、請求項13に記載の方法。
【請求項２４】
前記それぞれのヌメロロジーに関連付けられたそれぞれの数のシンボルに対応する追加の時間持続期間を決定するステップであって、前記第1のタイミングギャップが、前記追加の時間持続期間に少なくとも部分的に基づいて決定される、ステップ
をさらに含む、請求項23に記載の方法。
【請求項２５】
前記指示が、前記第1のSRSの送信および前記第2のSRSの送信をスケジュールするグラントを備え、物理ダウンリンク制御チャネル(PDCCH)を介して受信される、請求項13に記載の方法。
【請求項２６】
ワイヤレス通信のための方法であって、
ユーザ機器(UE)に、第1のコンポーネントキャリア(CC)上の第1のサウンディング基準信号(SRS)および第2のCC上の第2のSRSの送信のための指示を送信するステップであって、前記第1のCCが第1のヌメロロジーに関連付けられ、前記第2のCCが、前記第1のヌメロロジーとは異なる第2のヌメロロジーに関連付けられる、ステップと、
前記第1のヌメロロジーに少なくとも部分的に基づく第1のタイミングギャップの後、前記第1のCC上で前記第1のSRSを受信するステップと、
前記第1のタイミングギャップに少なくとも部分的に基づく前記第2のSRSのための送信タイミングの後、前記第2のCC上で前記第2のSRSを受信するステップであって、前記第2のSRSのための前記送信タイミングが、前記第1のCCから前記第2のCCへの再同調に関連付けられた再同調時間に少なくとも部分的に基づく、ステップと
を含む、方法。
【請求項２７】
前記第1のタイミングギャップが、前記第1のヌメロロジーに関連付けられた第1の数のシンボルに少なくとも部分的に基づき、
前記第2のSRSのための前記送信タイミングが、前記第2のヌメロロジーに関連付けられた第2の数のシンボルに少なくとも部分的に基づく、請求項26に記載の方法。
【請求項２８】
前記第1のタイミングギャップが、前記第2のヌメロロジーに少なくとも部分的に基づく、請求項26に記載の方法。
【請求項２９】
前記第2のSRSのための前記送信タイミングが、前記第1のCC上の前記第1のSRSの送信に関連付けられた送信時間に少なくとも部分的に基づく、請求項26に記載の方法。
【請求項３０】
前記指示を送信するステップが、
前記第1のヌメロロジーおよび前記第2のヌメロロジーとは異なる第3のヌメロロジーに関連付けられた第3のCC上の第3のSRSの送信のための指示を送信するステップ
を含む、請求項26に記載の方法。
【請求項３１】
前記第2のSRSのための前記送信タイミングに少なくとも部分的に基づく前記第3のSRSのための送信タイミングの後、前記第3のCC上で前記第3のSRSを受信するステップ
をさらに含む、請求項30に記載の方法。
【請求項３２】
前記指示が、前記第1のSRSの送信および前記第2のSRSの送信をスケジュールするグラントを備え、物理ダウンリンク制御チャネル(PDCCH)を介して送信される、請求項26に記載の方法。
【請求項３３】
ワイヤレス通信のための装置であって、
プロセッサと、
前記プロセッサと電子的に通信しているメモリと、
前記メモリに記憶され、かつ前記装置に、
基地局から、第1のコンポーネントキャリア(CC)上の第1のサウンディング基準信号(SRS)および第2のCC上の第2のSRSの送信のための指示を受信することであって、前記第1のCCが第1のヌメロロジーに関連付けられ、前記第2のCCが、前記第1のヌメロロジーとは異なる第2のヌメロロジーに関連付けられる、受信することと、
前記第1のヌメロロジーに少なくとも部分的に基づいて、前記指示の受信と前記第1のCC上の前記第1のSRSの送信との間の第1のタイミングギャップを決定することと、
前記第1のタイミングギャップおよび前記第2のヌメロロジーに少なくとも部分的に基づき、かつ前記第1のCCから前記第2のCCへの再同調に関連付けられた再同調時間に少なくとも部分的に基づいて、前記指示の受信後および前記第1のCC上の前記第1のSRSの前記送信後の、前記第2のCC上の前記第2のSRSの送信のためのタイミングを決定することと、
前記第1のタイミングギャップに少なくとも部分的に基づいて前記第1のSRSを、および前記第2のSRSの前記送信のための前記タイミングに少なくとも部分的に基づいて前記第2のSRSを送信することと
を行わせる、前記プロセッサによって実行可能な命令と
を備える、装置。
【請求項３４】
前記命令が、前記装置に、
前記第1のヌメロロジーに関連付けられた第1の数のシンボルに対応する第1の時間持続期間を決定することであって、前記第1のタイミングギャップが、前記第1の時間持続期間に少なくとも部分的に基づいて決定される、決定すること
を行わせるように前記プロセッサによってさらに実行可能である、請求項33に記載の装置。
【請求項３５】
前記第1の数のシンボルが、前記第1のヌメロロジーについてのアップリンクグラントの受信とアップリンクデータの送信との間の時間に対応する、請求項34に記載の装置。
【請求項３６】
前記第1の数のシンボルが、前記第1のヌメロロジーについての物理ダウンリンク制御チャネル(PDCCH)メッセージの受信と前記第1のSRSの送信との間の時間に対応する、請求項34に記載の装置。
【請求項３７】
前記命令が、前記装置に、
前記第2のヌメロロジーに関連付けられた第2の数のシンボルに対応する第2の時間持続期間を決定することであって、前記第2のCC上の前記第2のSRSの前記送信のための前記タイミングが、前記第1の時間持続期間および前記第2の時間持続期間に少なくとも部分的に基づいて決定される、決定すること
を行わせるように前記プロセッサによってさらに実行可能である、請求項34に記載の装置。
【請求項３８】
前記命令が、前記装置に、
前記第1のCCから前記第2のCCへの再同調に関連付けられた再同調時間、および前記第1のCC上の前記第1のSRSの送信に関連付けられた送信時間に少なくとも部分的に基づいて、前記第2の時間持続期間を決定すること
を行わせるように前記プロセッサによってさらに実行可能である、請求項37に記載の装置。
【請求項３９】
前記第2の数のシンボルが、前記第2のヌメロロジーについてのアップリンクグラントの受信とアップリンクデータの送信との間の時間、前記第2のヌメロロジーについてのチャネル状態情報基準信号(CSIRS)の受信とチャネル状態フィードバック(CSF)メッセージの送信との間の時間、または前記第2のヌメロロジーについての物理ダウンリンク制御チャネル(PDCCH)メッセージの受信と前記第2のSRSの送信との間の時間に対応する、請求項37に記載の装置。
【請求項４０】
前記指示を受信するための前記命令が、前記装置に、
前記第1のヌメロロジーおよび前記第2のヌメロロジーとは異なる第3のヌメロロジーに関連付けられた第3のCC上の第3のSRSの送信のための指示を受信すること
を行わせるように前記プロセッサによって実行可能である、請求項33に記載の装置。
【請求項４１】
前記命令が、前記装置に、
前記第2のSRSの前記送信のための前記タイミング、および前記第3のヌメロロジーに少なくとも部分的に基づいて、前記第3のCC上の前記第3のSRSの送信のための前記指示の受信後および前記第2のSRSの前記送信後の、前記第3のCC上の前記第3のSRSの送信のためのタイミングを決定することと、
前記第3のSRSの前記送信のための前記タイミングに少なくとも部分的に基づいて、前記第3のSRSを送信することと
を行わせるように前記プロセッサによってさらに実行可能である、請求項40に記載の装置。
【請求項４２】
前記指示を受信するための前記命令が、前記装置に、
それぞれのCC上の追加のSRSの送信のための指示を受信するためのこと
を行わせるように前記プロセッサによって実行可能である、請求項33に記載の装置。
【請求項４３】
前記命令が、前記装置に、
前記それぞれのCCに関連付けられたヌメロロジーに少なくとも部分的に基づいて、前記追加のSRSのためのそれぞれの送信タイミングを決定するためのことと、
前記それぞれの送信タイミングに少なくとも部分的に基づいて、前記それぞれのCC上で前記追加のSRSを送信するためのことと
を行わせるように前記プロセッサによってさらに実行可能である、請求項42に記載の装置。
【請求項４４】
前記指示が、前記第1のSRSの送信および前記第2のSRSの送信をスケジュールするグラントを備え、物理ダウンリンク制御チャネル(PDCCH)を介して受信される、請求項33に記載の装置。
【請求項４５】
ワイヤレス通信のための装置であって、
プロセッサと、
前記プロセッサと電子的に通信しているメモリと、
前記メモリに記憶され、かつ前記装置に、
基地局から、第1のコンポーネントキャリア(CC)上の第1のサウンディング基準信号(SRS)および第2のCC上の第2のSRSの送信のための指示を受信するためのことであって、前記第1のCCが第1のヌメロロジーに関連付けられ、前記第2のCCが、前記第1のヌメロロジーとは異なる第2のヌメロロジーに関連付けられる、受信することと、
前記第1のヌメロロジーおよび前記第2のヌメロロジーに少なくとも部分的に基づいて、前記指示の受信と前記第1のCC上の前記第1のSRSの送信との間の第1のタイミングギャップを決定することと、
前記第1のタイミングギャップに少なくとも部分的に基づいて、前記指示の受信後および前記第1のCC上の前記第1のSRSの前記送信後の、前記第2のCC上の前記第2のSRSの送信のためのタイミングを決定することと、
前記第1のタイミングギャップに少なくとも部分的に基づき、かつ前記第1のCCから前記第2のCCへの再同調に関連付けられた再同調時間に少なくとも部分的に基づいて前記第1のSRSを、および前記第2のSRSの前記送信のための前記タイミングに少なくとも部分的に基づいて前記第2のSRSを送信することと
を行わせる、前記プロセッサによって実行可能な命令と
を備える、装置。
【請求項４６】
前記命令が、前記装置に、
前記第1のヌメロロジーに関連付けられた第1の時間持続期間を決定することと、
前記第2のヌメロロジーに関連付けられた第2の時間持続期間を決定することと、
前記第1の時間持続期間および前記第2の時間持続期間のうちの最大値を決定することと
を行わせるように前記プロセッサによってさらに実行可能である、請求項45に記載の装置。
【請求項４７】
前記命令が、前記装置に、
前記第1のヌメロロジーに関連付けられた第1の数のシンボルに対応する第1の時間持続期間を決定することと、
前記第2のヌメロロジーに関連付けられた第2の数のシンボルに対応する第2の時間持続期間を決定することであって、前記第1のタイミングギャップが、前記第1の時間持続期間および前記第2の時間持続期間に少なくとも部分的に基づいて決定される、決定することと
を行わせるように前記プロセッサによってさらに実行可能である、請求項45に記載の装置。
【請求項４８】
前記第1の数のシンボルが、前記第1のヌメロロジーについてのアップリンクグラントの受信とアップリンクデータの送信との間の時間に対応する、請求項47に記載の装置。
【請求項４９】
前記第1の数のシンボルが、前記第1のヌメロロジーについての物理ダウンリンク制御チャネル(PDCCH)メッセージの受信と前記第1のSRSの送信との間の時間に対応する、請求項47に記載の装置。
【請求項５０】
前記第2の数のシンボルが、前記第2のヌメロロジーについてのアップリンクグラントの受信とアップリンクデータの送信との間の時間、前記第2のヌメロロジーについてのチャネル状態情報基準信号(CSIRS)の受信とチャネル状態フィードバック(CSF)メッセージの送信との間の時間、または前記第2のヌメロロジーについての物理ダウンリンク制御チャネル(PDCCH)メッセージの受信と前記第2のSRSの送信との間の時間に対応する、請求項47に記載の装置。
【請求項５１】
前記命令が、前記装置に、
前記第1のCC上の前記第1のSRSの送信に関連付けられた送信時間に少なくとも部分的に基づいて、前記第2のCC上の前記第2のSRSの前記送信のための前記タイミングを決定すること
を行わせるように前記プロセッサによってさらに実行可能である、請求項45に記載の装置。
【請求項５２】
前記指示を受信するための前記命令が、前記装置に、
前記第1のヌメロロジーおよび前記第2のヌメロロジーとは異なる第3のヌメロロジーに関連付けられた第3のCC上の第3のSRSの送信のための指示を受信すること
を行わせるように前記プロセッサによって実行可能である、請求項45に記載の装置。
【請求項５３】
前記命令が、前記装置に、
前記第1のヌメロロジーに関連付けられた第1の数のシンボルに対応する第1の時間持続期間を決定することと、
前記第2のヌメロロジーに関連付けられた第2の数のシンボルに対応する第2の時間持続期間を決定することと、
前記第3のヌメロロジーに関連付けられた第3の数のシンボルに対応する第3の時間持続期間を決定することであって、前記第1のタイミングギャップが、前記第1の時間持続期間、前記第2の時間持続期間、および前記第3の時間持続期間に少なくとも部分的に基づいて決定される、決定することと
を行わせるように前記プロセッサによってさらに実行可能である、請求項52に記載の装置。
【請求項５４】
前記命令が、前記装置に、
前記第2のCC上の前記第2のSRSの前記送信のための前記タイミングに少なくとも部分的に基づいて、前記第3のCC上の前記第3のSRSの送信のための前記指示の受信後および前記第2のCC上の前記第2のSRSの前記送信後の、前記第3のCC上の前記第3のSRSの送信のためのタイミングを決定することと、
前記第3のSRSの前記送信のための前記タイミングに少なくとも部分的に基づいて、前記第3のSRSを送信することと
を行わせるように前記プロセッサによってさらに実行可能である、請求項53に記載の装置。
【請求項５５】
前記指示を受信するための前記命令が、前記装置に、
それぞれのヌメロロジーに関連付けられたそれぞれのCC上の追加のSRSの送信のための指示を受信すること
を行わせるように前記プロセッサによって実行可能である、請求項45に記載の装置。
【請求項５６】
前記命令が、前記装置に、
前記それぞれのヌメロロジーに関連付けられたそれぞれの数のシンボルに対応する追加の時間持続期間を決定することであって、前記第1のタイミングギャップが、前記追加の時間持続期間に少なくとも部分的に基づいて決定される、決定すること
を行わせるように前記プロセッサによってさらに実行可能である、請求項55に記載の装置。
【請求項５７】
前記指示が、前記第1のSRSの送信および前記第2のSRSの送信をスケジュールするグラントを備え、物理ダウンリンク制御チャネル(PDCCH)を介して受信される、請求項45に記載の装置。
【請求項５８】
ワイヤレス通信のための装置であって、
プロセッサと、
前記プロセッサと電子的に通信しているメモリと、
前記メモリに記憶され、かつ前記装置に、
ユーザ機器(UE)に、第1のコンポーネントキャリア(CC)上の第1のサウンディング基準信号(SRS)および第2のCC上の第2のSRSの送信のための指示を送信することであって、前記第1のCCが第1のヌメロロジーに関連付けられ、前記第2のCCが、前記第1のヌメロロジーとは異なる第2のヌメロロジーに関連付けられる、送信することと、
前記第1のヌメロロジーに少なくとも部分的に基づく第1のタイミングギャップの後、前記第1のCC上で前記第1のSRSを受信するためのことと、
前記第1のタイミングギャップに少なくとも部分的に基づく前記第2のSRSのための送信タイミングの後、前記第2のCC上で前記第2のSRSを受信することであって、前記第2のSRSのための前記送信タイミングが、前記第1のCCから前記第2のCCへの再同調に関連付けられた再同調時間に少なくとも部分的に基づく、受信することと
を行わせる、前記プロセッサによって実行可能な命令と
を備える、装置。
【請求項５９】
前記第1のタイミングギャップが、前記第1のヌメロロジーに関連付けられた第1の数のシンボルに少なくとも部分的に基づき、
前記第2のSRSのための前記送信タイミングが、前記第2のヌメロロジーに関連付けられた第2の数のシンボルに少なくとも部分的に基づく、請求項58に記載の装置。
【請求項６０】
前記第1のタイミングギャップが、前記第2のヌメロロジーに少なくとも部分的に基づく、請求項58に記載の装置。
【請求項６１】
前記第2のSRSのための前記送信タイミングが、前記第1のCC上の前記第1のSRSの送信に関連付けられた送信時間に少なくとも部分的に基づく、請求項58に記載の装置。
【請求項６２】
前記指示を送信するための前記命令が、
前記第1のヌメロロジーおよび前記第2のヌメロロジーとは異なる第3のヌメロロジーに関連付けられた第3のCC上の第3のSRSの送信のための指示を送信すること
を行わせるように前記プロセッサによって実行可能である、請求項58に記載の装置。
【請求項６３】
前記命令が、前記装置に、
前記第2のSRSのための前記送信タイミングに少なくとも部分的に基づく前記第3のSRSのための送信タイミングの後、前記第3のCC上で前記第3のSRSを受信すること
を行わせるように前記プロセッサによってさらに実行可能である、請求項62に記載の装置。
【請求項６４】
前記指示が、前記第1のSRSの送信および前記第2のSRSの送信をスケジュールするグラントを備え、物理ダウンリンク制御チャネル(PDCCH)を介して送信される、請求項58に記載の装置。
【請求項６５】
ワイヤレス通信のための装置であって、
基地局から、第1のコンポーネントキャリア(CC)上の第1のサウンディング基準信号(SRS)および第2のCC上の第2のSRSの送信のための指示を受信するための手段であって、前記第1のCCが第1のヌメロロジーに関連付けられ、前記第2のCCが、前記第1のヌメロロジーとは異なる第2のヌメロロジーに関連付けられる、手段と、
前記第1のヌメロロジーに少なくとも部分的に基づいて、前記指示の受信と前記第1のCC上の前記第1のSRSの送信との間の第1のタイミングギャップを決定するための手段と、
前記第1のタイミングギャップおよび前記第2のヌメロロジーに少なくとも部分的に基づき、かつ前記第1のCCから前記第2のCCへの再同調に関連付けられた再同調時間に少なくとも部分的に基づいて、前記指示の受信後および前記第1のCC上の前記第1のSRSの前記送信後の、前記第2のCC上の前記第2のSRSの送信のためのタイミングを決定するための手段と、
前記第1のタイミングギャップに少なくとも部分的に基づいて前記第1のSRSを、および前記第2のSRSの前記送信のための前記タイミングに少なくとも部分的に基づいて前記第2のSRSを送信するための手段
を備える、装置。
【請求項６６】
ワイヤレス通信のための装置であって、
基地局から、第1のコンポーネントキャリア(CC)上の第1のサウンディング基準信号(SRS)および第2のCC上の第2のSRSの送信のための指示を受信するための手段であって、前記第1のCCが第1のヌメロロジーに関連付けられ、前記第2のCCが、前記第1のヌメロロジーとは異なる第2のヌメロロジーに関連付けられる、手段と、
前記第1のヌメロロジーおよび前記第2のヌメロロジーに少なくとも部分的に基づいて、前記指示の受信と前記第1のCC上の前記第1のSRSの送信との間の第1のタイミングギャップを決定するための手段と、
前記第1のタイミングギャップに少なくとも部分的に基づき、かつ前記第1のCCから前記第2のCCへの再同調に関連付けられた再同調時間に少なくとも部分的に基づいて、前記指示の受信後および前記第1のCC上の前記第1のSRSの前記送信後の、前記第2のCC上の前記第2のSRSの送信のためのタイミングを決定するための手段と、
前記第1のタイミングギャップに少なくとも部分的に基づいて前記第1のSRSを、および前記第2のSRSの前記送信のための前記タイミングに少なくとも部分的に基づいて前記第2のSRSを送信するための手段と
を備える、装置。
【請求項６７】
ワイヤレス通信のための装置であって、
ユーザ機器(UE)に、第1のコンポーネントキャリア(CC)上の第1のサウンディング基準信号(SRS)および第2のCC上の第2のSRSの送信のための指示を送信するための手段であって、前記第1のCCが第1のヌメロロジーに関連付けられ、前記第2のCCが、前記第1のヌメロロジーとは異なる第2のヌメロロジーに関連付けられる、手段と、
前記第1のヌメロロジーに少なくとも部分的に基づく第1のタイミングギャップの後、前記第1のCC上で前記第1のSRSを受信するための手段と、
前記第1のタイミングギャップに少なくとも部分的に基づく前記第2のSRSのための送信タイミングの後、前記第2のCC上で前記第2のSRSを受信するための手段であって、前記第2のSRSのための前記送信タイミングが、前記第1のCCから前記第2のCCへの再同調に関連付けられた再同調時間に少なくとも部分的に基づく、手段と
を備える、装置。
【請求項６８】
ワイヤレス通信のためのコードを記憶する非一時的コンピュータ可読記憶媒体であって、前記コードが命令を備え、前記命令が、
基地局から、第1のコンポーネントキャリア(CC)上の第1のサウンディング基準信号(SRS)および第2のCC上の第2のSRSの送信のための指示を受信することであって、前記第1のCCが第1のヌメロロジーに関連付けられ、前記第2のCCが、前記第1のヌメロロジーとは異なる第2のヌメロロジーに関連付けられる、受信することと、
前記第1のヌメロロジーに少なくとも部分的に基づいて、前記指示の受信と前記第1のCC上の前記第1のSRSの送信との間の第1のタイミングギャップを決定することと、
前記第1のタイミングギャップおよび前記第2のヌメロロジーに少なくとも部分的に基づき、かつ前記第1のCCから前記第2のCCへの再同調に関連付けられた再同調時間に少なくとも部分的に基づいて、前記指示の受信後および前記第1のCC上の前記第1のSRSの前記送信後の、前記第2のCC上の前記第2のSRSの送信のためのタイミングを決定することと、
前記第1のタイミングギャップに少なくとも部分的に基づいて前記第1のSRSを、および前記第2のSRSの前記送信のための前記タイミングに少なくとも部分的に基づいて前記第2のSRSを送信すること
を行うようにプロセッサによって実行可能である、コンピュータ可読記憶媒体。
【請求項６９】
ワイヤレス通信のためのコードを記憶する非一時的コンピュータ可読記憶媒体であって、前記コードが命令を備え、前記命令が、
基地局から、第1のコンポーネントキャリア(CC)上の第1のサウンディング基準信号(SRS)および第2のCC上の第2のSRSの送信のための指示を受信することであって、前記第1のCCが第1のヌメロロジーに関連付けられ、前記第2のCCが、前記第1のヌメロロジーとは異なる第2のヌメロロジーに関連付けられる、受信することと、
前記第1のヌメロロジーおよび前記第2のヌメロロジーに少なくとも部分的に基づき、かつ前記第1のCCから前記第2のCCへの再同調に関連付けられた再同調時間に少なくとも部分的に基づいて、前記指示の受信と前記第1のCC上の前記第1のSRSの送信との間の第1のタイミングギャップを決定することと、
前記第1のタイミングギャップに少なくとも部分的に基づいて、前記指示の受信後および前記第1のCC上の前記第1のSRSの前記送信後の、前記第2のCC上の前記第2のSRSの送信のためのタイミングを決定することと、
前記第1のタイミングギャップに少なくとも部分的に基づいて前記第1のSRSを、および前記第2のSRSの前記送信のための前記タイミングに少なくとも部分的に基づいて前記第2のSRSを送信すること
を行うようにプロセッサによって実行可能である、コンピュータ可読記憶媒体。
【請求項７０】
ワイヤレス通信のためのコードを記憶する非一時的コンピュータ可読記憶媒体であって、前記コードが命令を備え、前記命令が、
ユーザ機器(UE)に、第1のコンポーネントキャリア(CC)上の第1のサウンディング基準信号(SRS)および第2のCC上の第2のSRSの送信のための指示を送信することであって、前記第1のCCが第1のヌメロロジーに関連付けられ、前記第2のCCが、前記第1のヌメロロジーとは異なる第2のヌメロロジーに関連付けられる、送信することと、
前記第1のヌメロロジーに少なくとも部分的に基づく第1のタイミングギャップの後、前記第1のCC上で前記第1のSRSを受信することと、
前記第1のタイミングギャップに少なくとも部分的に基づく前記第2のSRSのための送信タイミングの後、前記第2のCC上で前記第2のSRSを受信することであって、前記第2のSRSのための前記送信タイミングが、前記第1のCCから前記第2のCCへの再同調に関連付けられた再同調時間に少なくとも部分的に基づく、受信することと
を行うようにプロセッサによって実行可能である、コンピュータ可読記憶媒体。